(57)【特許請求の範囲】
【請求項１】
マンホール（２、３）の間に設けられた本管（１）に少なくとも一本以上の分岐管（４、５）が分岐管口（６、７）を通じて分岐している地中管路において、
本管（１）内に敷設している幹光ファイバーケーブル（２０）と高強度低伸度性の幹テンションメンバー（２５）とが保護管（４５）内に挿通されて長さ方向にスライド可能に配置され、
本管（１）内から各分岐管（４、５）内に敷設している分岐光ファイバーケーブル（２１、２２）と高強度低伸度性の分岐テンションメンバー（２６、２７）とが長さ方向にスライド可能に配置され、且つ分岐光ファイバーケーブル（２１、２２）および分岐テンションメンバー（２６、２７）は、それぞれ全長の一部が保護管（４５）内に挿通されており、
幹テンションメンバー（２５）はマンホール（２）から本管（１）内を介して他のマンホール（３）までの間で張力が加えられて本管（１）内の上部側で略直線的に配置されて、幹光ファイバーケーブル（２０）を本管（１）内の上部側に敷設していると共に、
分岐管口（６、７）に配置された誘導部材（Ａ）によって、保護管（４５）から外部に引き出されている分岐光ファイバーケーブル（２１、２２）および分岐テンションメンバー（２６、２７）を分岐管（４、５）内の所定の方向に向きを変えて保持すると共に、本管（１）の上部側に配置された保護管（４５）をスライド可能に保持しており、
分岐テンションメンバー（２６、２７）はマンホール（２）から本管（１）内、分岐管口（６、７）に配置された誘導部材（Ａ）、分岐管（４、５）内を経由して分岐管桝（８、９）までの間で張力を加えられて、本管（１）内および分岐管（４、５）内の上部側で略直線的に配置されて、分岐光ファイバーケーブル（２１、２２）を本管（１）内および分岐管（４、５）内の上部側に敷設していることを特徴とする光ファイバーケーブルの敷設構造。
【請求項２】
前記分岐管（４、５）に形成している曲管の谷部の内面上部側に、分岐テンションメンバー（２６、２７）および分岐光ファイバーケーブル（２１、２２）をスライド可能に中を通して保持するスライド部を有する固定部材（Ｂ）が配置され、該曲管内面上部に分岐光ファイバーケーブル（２１、２２）を配置していることを特徴とする請求項１に記載の光ファイバーケーブルの敷設構造。
【請求項３】
前記固定部材（Ｂ）が、
分岐管（４、５）の内径に略相当する外径を有し、少なくとも断面が半円以上の円柱状固定部と、
該固定部に設けた分岐管（４、５）内に敷設する部材をスライド可能に保持するスライド部とを有することを特徴とする請求項２に記載の光ファイバーケーブルの敷設構造。
【請求項４】
前記本管（１）内の適宜の個所で保護管（４５）がたるみ防止材（５０）により本管（１）内上部側に補助的に配置していることを特徴とする請求項１〜３の何れかに記載の光ファイバーケーブルの敷設構造。
【請求項５】
マンホール（２、３）の間に設けられた本管（１）に少なくとも一本以上の分岐管（４、５）が分岐管口（６、７）を通じて分岐している地中管路において、本管（１）内および各分岐管（４、５）内に光ファイバーケーブル（２０、２１、２２）を敷設する方法であって、
本管（１）内に敷設される幹光ファイバーケーブル（２０）と高強度低伸度性の幹テンションメンバー（２５）を保護管（４５）内に挿通して長さ方向にスライド可能に配置すると共に、
本管（１）内から各分岐管（４、５）内に敷設される分岐光ファイバーケーブル（２１、２２）と高強度低伸度性の分岐テンションメンバー（２６、２７）とを長さ方向にスライド可能に配置し、且つ分岐光ファイバーケーブル（２１、２２）および分岐テンションメンバー（２６、２７）のそれぞれ全長の一部を保護管（４５）内に挿通し、
分岐光ファイバーケーブル（２１、２２）および分岐テンションメンバー（２６、２７）を分岐管口（６、７）に相当する部分で保護管（４５）から外部に取り出しておき、且つ分岐管口（６、７）相当部分の保護管（４５）外周に誘導部材（Ａ）をスライド可能に取付けると共に分岐管（４、５）内の上部に相当する該誘導部材（Ａ）の部分に分岐光ファイバーケーブル（２１、２２）および分岐テンションメンバー（２６、２７）を取付けておき、
然る後に、保護管（４５）をマンホール（２）から本管（１）内を経由して他のマンホール（３）まで引き込んで、幹光ファイバーケーブル（２０）および幹テンションメンバー（２５）をマンホール（２）から本管（１）内を経由して他のマンホール（３）まで、また分岐光ファイバーケーブル（２１、２２）および分岐テンションメンバー（２６、２７）をマンホール（２）から本管（１）内の所定の分岐管口（６、７）付近にそれぞれ引き込み、
次いで分岐管桝（８、９）から分岐管口（６、７）付近に位置する分岐テンションメンバー（２６、２７）を引き上げることにより、誘導部材（Ａ）を分岐管口（６、７）に配置すると共に、分岐管（４、５）内に分岐光ファイバーケーブル（２１、２２）および分岐テンションメンバー（２６、２７）を引き込み、
最後にマンホール（２、３）間の幹テンションメンバー（２５）に張力をかけて幹テンションメンバー（２５）を本管（１）内の上部側で略直線的に張ることにより保護管（４５）および幹光ファイバーケーブル（２０）を本管（１）内の上部側に敷設すると共に、
マンホール（２）と分岐管桝（８、９）との間で分岐テンションメンバー（２６、２７）に張力をかけて分岐テンションメンバー（２６、２７）を本管（１）内および分岐管（４、５）内の上部側で略直線的に張ることにより、分岐光ファイバーケーブル（２１、２２）を本管（１）内および分岐管（４、５）内の上部側に敷設することを特徴とする光ファイバーケーブルの敷設方法。
【請求項６】
分岐桝（８、９）に到達している分岐テンションメンバー（２６、２７）および分岐光ファイバーケーブル（２１、２２）を固定部材（Ｂ）のスライド部（４２）の中に通しながら、固定部材（Ｂ）を分岐管（４、５）に形成している曲管の谷部付近まで移動させ、
分岐テンションメンバー（２６、２７）に張力をかけて分岐テンションメンバー（２６、２７）を本管（１）内および分岐管（４、５）内の上部側で略直線的に張る際に、固定部材（Ｂ）を前記曲管の谷部の内面上部に配置することにより、該曲管内面上部に分岐光ファイバーケーブル（２１、２２）を配置することを特徴とする請求項５に記載の光ファイバーケーブルの敷設方法。
【請求項７】
請求項１に記載の光ファイバーケーブルの敷設構造に用いられる誘導部材（Ａ）であって、
分岐管（４、５）の内径に略相当する外径を有し、少なくとも断面が半円以上の円柱状挿入部と、
該挿入部から連続して下外方に突出している本管（１）内に敷設する部材をスライド可能に保持する幹スライド部と、
該挿入部に設けた分岐管（４、５）内に敷設する部材をスライド可能に保持する分岐スライド部とを有することを特徴とする誘導部材。
【発明の詳細な説明】
【０００１】
【発明の属する技術分野】
本発明は、地中管路、特に下水道管路内に、光ファイバーケーブルを敷設した構造および敷設する方法ならびに敷設するための部材に関するものである。
【０００２】
【従来の技術】
本出願人らによって、光ファイバーケーブルを高強度低伸度性のテンションメンバーに対して長さ方向にスライド可能に配置し、当該テンションメンバーを地中管路内に牽引して、光ファイバーケーブルを地中管路内に挿入した後に、テンションメンバーに張力を加えて、光ファイバーケーブルを地中管路内の本管においては上部側に、分岐管内においては弛まないように下部に沿って敷設する方法が提案されている。
【０００３】
【発明が解決しようとする課題】
しかしながら、下水道管においては、流体が液体のみならず、固形物も流れるために、下部に沿って光ファイバーケーブルを敷設すると、該固形物が引っ掛かる恐れがある。したがって、分岐管内においても光ファイバーケーブルを上部に敷設し、流下物との接触をなくすことが使用上最も望ましい。
【０００４】
本発明の目的は、分岐管内面の上部に光ファイバーケーブルを敷設した構造および敷設する方法ならびに敷設するための部材を提供することにある。
【０００５】
【課題を解決するための手段】
前記課題を解決するための本発明の請求項１に記載の光ファイバーケーブルの敷設構造は、マンホールの間に設けられた本管に少なくとも一本以上の分岐管が分岐管口を通じて分岐している地中管路において、本管内に敷設している幹光ファイバーケーブルと高強度低伸度性の幹テンションメンバーとが保護管内に挿通されて長さ方向にスライド可能に配置され、本管内から各分岐管内に敷設している分岐光ファイバーケーブルと高強度低伸度性の分岐テンションメンバーとが長さ方向にスライド可能に配置され、且つ分岐光ファイバーケーブルおよび分岐テンションメンバーは、それぞれ全長の一部が保護管内に挿通されており、幹テンションメンバーはマンホールから本管内を介して他のマンホールまでの間で張力が加えられて本管内の上部側で略直線的に配置されて、幹光ファイバーケーブルを本管内の上部側に敷設していると共に、分岐管口に配置された誘導部材によって、保護管から外部に引き出されている分岐光ファイバーケーブルおよび分岐テンションメンバーを分岐管内の所定の方向に向きを変えて保持すると共に、本管の上部側に配置された保護管をスライド可能に保持しており、分岐テンションメンバーはマンホールから本管内、分岐管口に配置された誘導部材、分岐管内を経由して分岐管桝までの間で張力を加えられて、本管内および分岐管内の上部側で略直線的に配置されて、分岐光ファイバーケーブルを本管内および分岐管内の上部側に敷設していることを特徴とするものである。この構造によると、光ファイバーケーブルが、本管内および分岐管内の上部側に略直線的に配置される。このため、本管内および分岐管内を通過する流下物の障害とならない。また、誘導部材が配置されていることにより、光ファイバーケーブルを分岐管内の上部側に確実に配置できる。特に本管外周面に対して分岐管がどのような角度で取り付けられていても、分岐管口の部分において、確実に分岐管内の上部側に配置することができる。
【０００７】
請求項２に記載の光ファイバーケーブルの敷設構造は、請求項１において、前記分岐管に形成している曲管の谷部の内面上部側に、分岐テンションメンバーおよび分岐光ファイバーケーブルをスライド可能に中を通して保持するスライド部を有する固定部材が配置され、該曲管内面上部に分岐光ファイバーケーブルを配置していることを特徴とするものである。この構造によると、分岐管内で、光ファイバーケーブルが弛むことがなく、分岐管内に形成している曲管の谷部の内面上部側にも光ファイバーケーブルを沿わせて配置することができる。
【０００８】
請求項３に記載の光ファイバーケーブルの敷設構造は、請求項２において、前記固定部材が、分岐管の内径に略相当する外径を有し、少なくとも断面が半円以上の円柱状固定部と、該固定部に設けた分岐管内に敷設する部材をスライド可能に保持するスライド部とを有することを特徴とする。この構成により、分岐管内で、光ファイバーケーブルが弛むことがなく、分岐管内に形成している曲管の谷部の内面上部側にも光ファイバーケーブルを沿わせて配置することができる。
【０００９】
請求項４に記載の光ファイバーケーブルの敷設構造は、請求項１〜３の何れかにおいて、前記本管内の適宜の個所で保護管がたるみ防止材により本管内上部側に補助的に配置していることを特徴とするものである。この構造によると、保護管が本管内部の上部側に確実に配置される。
【００１０】
請求項５に記載の光ファイバーケーブルの敷設方法は、マンホールの間に設けられた本管に少なくとも一本以上の分岐管が分岐管口を通じて分岐している地中管路において、本管内および各分岐管内に光ファイバーケーブルを敷設する方法であって、本管内に敷設される幹光ファイバーケーブルと高強度低伸度性の幹テンションメンバーを保護管内に挿通して長さ方向にスライド可能に配置すると共に、本管内から各分岐管内に敷設される分岐光ファイバーケーブルと高強度低伸度性の分岐テンションメンバーとを長さ方向にスライド可能に配置し、且つ分岐光ファイバーケーブルおよび分岐テンションメンバーのそれぞれ全長の一部を保護管内に挿通し、分岐光ファイバーケーブルおよび分岐テンションメンバーを分岐管口に相当する部分で保護管から外部に取り出しておき、且つ分岐管口相当部分の保護管外周に誘導部材をスライド可能に取付けると共に分岐管内の上部に相当する該誘導部材の部分に分岐光ファイバーケーブルおよび分岐テンションメンバーを取付けておき、然る後に、保護管をマンホールから本管内を経由して他のマンホールまで引き込んで、幹光ファイバーケーブルおよび幹テンションメンバーをマンホールから本管内を経由して他のマンホールまで、また分岐光ファイバーケーブルおよび分岐テンションメンバーをマンホールから本管内の所定の分岐管口付近にそれぞれ引き込み、次いで分岐管桝から分岐管口付近に位置する分岐テンションメンバーを引き上げることにより、誘導部材を分岐管口に配置すると共に、分岐管内に分岐光ファイバーケーブルおよび分岐テンションメンバーを引き込み、最後にマンホール間の幹テンションメンバーに張力をかけて幹テンションメンバーを本管内の上部側で略直線的に張ることにより保護管および幹光ファイバーケーブルを本管内の上部側に敷設すると共に、マンホールと分岐管桝との間で分岐テンションメンバーに張力をかけて分岐テンションメンバーを本管内および分岐管内の上部側で略直線的に張ることにより、分岐光ファイバーケーブルを本管内および分岐管内の上部側に敷設することを特徴とする。この方法によると、光ファイバーケーブルが、本管内および分岐管内の上部側に略直線的に配置される。このため、本管内および分岐管内を通過する流下物の障害とならない。特に分岐管内に光ファイバーケーブルの敷設を分岐管一本づつ行うことから、作業が単純でありケーブルやファイバーが引っ掛かったり、絡まったりすることが少なくなる。また、分岐管が本管に対して数多く取り付けられている場合においては、作業員をマンホールと対象分岐管の分岐桝に配置するだけでよく、最小限の人数で施工が可能であり、コスト縮減にもなる。
【００１１】
請求項６に記載の光ファイバーケーブルの敷設方法は、請求項５において、分岐桝に到達している分岐テンションメンバーおよび分岐光ファイバーケーブルを固定部材のスライド部の中に通しながら、固定部材を分岐管に形成している曲管の谷部付近まで移動させ、分岐テンションメンバーに張力をかけて分岐テンションメンバーを本管内および分岐管内の上部側で略直線的に張る際に、固定部材を前記曲管の谷部の内面上部に配置することにより、該曲管内面上部に分岐光ファイバーケーブルを配置することを特徴とするものである。この方法によると、分岐管内で、光ファイバーケーブルが弛むことがなく、分岐管内に形成している曲管の谷部の内面上部側にも光ファイバーケーブルを沿わせて配置することができる。
【００１２】
請求項７に記載の誘導部材は、請求項１に記載の光ファイバーケーブルの敷設構造に用いられる誘導部材であって、分岐管の内径に略相当する外径を有し、少なくとも断面が半円以上の円柱状挿入部と、該挿入部から連続して下外方に突出している本管内に敷設する部材をスライド可能に保持する幹スライド部と、該挿入部に設けた分岐管内に敷設する部材をスライド可能に保持する分岐スライド部とを有することを特徴とするものである。この部材により、光ファイバーケーブルを分岐管の上部側に確実に配置することができる。
【００１６】
【発明の実施の形態】
以下、図面を参照しつつ、本発明の実施の形態を説明する。なお、以下の説明において、管路は下水道管であるものとして説明するが、本発明は、地中管路内面にフック等の治具を直接取り付けないので、対象となる管路系や管種の制限がない。例えば、鋼管により配管しているガス管路や、鋳鉄管により配管している水道管路、雨水管路、電力ケーブル管路など、あらゆる地中管路に適用可能である。また、上述した管路にマンホールが設けられていない場合には、立杭を形成して本発明を実施することが可能である。
【００１７】
図１は、地中管路の一例としての下水道管路を示すものであって、図中の１は下水道管の本管であり、マンホール２と他のマンホール３との間に配管されている。そしてその本管１の上部側から、分岐口６、７において分岐管４、５が分岐し、当該分岐管４、５は各家庭（図示せず）毎の分岐管桝８、９にまで接続されている。
【００１８】
一般に本管１は道路に沿って深さ数ｍの位置に敷設されており、本管１の斜め側上部に分岐管口６、７が形成され、分岐管４、５は分岐管口６、７から急角度で上昇した後、地表近くで角度を変え、緩角度で分岐管桝８、９に接続されている。
【００１９】
本実施形態においては、まず、光ファイバーケーブルを敷設する本管１および分岐管４、５内をＴＶカメラで調査し、マンホール２からマンホール３までの長さ（この間に別のマンホールが介在していてもよい）、マンホール２から分岐管口６、７までの長さ、分岐管４、５の長さ、およびそれぞれの口径などの数値データーを測定する。また、管路内に障害物（モルタルの塊、分岐管の本管内への飛び出し）などがあれば、該障害物を障害物除去専用機（図示せず、例えば、実開平４−３２８０８号に記載されている）により撤去し、光ファイバーケーブルの敷設に支障をきたすことのないようにしておく。
【００２０】
次いで、本管１内に牽引策を通線する。通線の方法としては、ワイヤー等の剛直体を押し込む方法や、パラシュート状の通線具を空気圧で飛ばす方法、自走型管内移動車に接続しておく方法などが知られており、これらの公知の方法を適宜採用することができる。
【００２１】
調査結果に基づき、幹光ファイバーケーブル２０、分岐光ファイバーケーブル２１、２２およびテンションメンバー２５、２６、２７の長さを決め各々をスライド可能に結合しておく。一例として、幹テンションメンバー２５にワイヤー（高強度低伸度性）を使用し、分岐テンションメンバー２６、２７に内外面樹脂被膜を施し筒長方向に高強度低伸度性の繊維（炭素、アラミドなどのいわゆるスーパー繊維）を一体化したフレキシブルステンレス管からなる筒状物とすることが好ましい。
【００２２】
幹光ファイバーケーブル２０と幹テンションメンバー２５とは、図２に示すように、保護管４５内にそれぞれを挿通することで、スライド可能に結合しておくことが好ましい。
【００２３】
また分岐光ファイバーケーブル２１、２２と分岐テンションメンバー２６、２７とは、分岐テンションメンバー２６、２７内に分岐光ファイバーケーブルを挿通しておくことでスライド可能に結合しておき、さらに本管１内に敷設される部分においては、図２に示すように保護管４５内に挿通しておき、保護管４５にマンホール２から分岐管口６、７の位置に相当する部分に設けた開口部４６からそれぞれ引き出しておくことが好ましい。
この保護管４５は、本管１内の流体に対する耐薬品性とマンホール２、３から挿入できる柔軟性を有しておればよく、ポリエチレン、ポリプロピレン、ポリウレタン、ポリエステル等のプラスチック類や、これらを繊維で補強したもの等からなり、本管１の長さに相当する長さを有し、少なくとも筒長方向に連続した１つ以上の空間部を有するパイプ状であり、分岐管口に相当する部分において厚さ方向には開口部が設けられているものが好ましい。これによって、光ファイバーケーブルと、テンションメンバーとが保護管４５内で、互いに長さ方向にスライド可能とになるように並設することができる。なお、保護管４５の形状は、パイプ状の筒長方向を切り開いてＣ字状とし、その両端部をオーバーラップさせて内部に空間部を形成したものを使用してもよく、この形状の場合は内部に部材を配置する作業が切り開き部から行えるので容易である。
【００２４】
なお保護管４５は、図２に示すように一本で実施してもよいし、例えば、図６に示すように３本使用して各々を結束させて全体の荷重を幹テンションメンバー２５に負担させる構造とし、保護管４５それぞれに光ファイバーケーブル２０、２１、２２を入線してもよい。もちろん、保護管４５が複数の空洞を有する一体ものを使用してもよい。また、保護管４５それぞれを結束させない場合には、保護管４５それぞれに幹テンションメンバー２５を入れておくことが必要となる。
【００２５】
さらにテンションメンバー２５、２６、２７は、高強度低伸度性の材料よりなり、それが光ファイバーケーブル２０、２１、２２と平行して延び、且つテンションメンバー２５、２６、２７と光ファイバーケーブル２０、２１、２２とが互いに長さ方向にゆとりをもって移動可能となっている。
【００２６】
図１１はテンションメンバー２５、２６、２７の一例を示すものであって、ポリパラフェニレンベンゾビスオキサゾール（ＰＢＯ）繊維、アラミド繊維、炭素繊維、金属繊維、ガラス繊維などの高強度低伸度性繊維よりなる、ロープ、紐、ベルトなどの長尺体や、ステンレスワイヤーなどを使用することができる。
【００２７】
そしてそのテンションメンバー２５、２６、２７に対して、光ファイバーケーブル２０、２１、２２が若干弛んだ状態で並設され、その両者が結束用紐状物３０によって部分的に結束されている。
【００２８】
従って、この構造においては、光ファイバーケーブル２０、２１、２２とテンションメンバー２５、２６、２７とは結束用紐状物３０で結束されることにより、部分的に多少の融通性を有した状態で結合されており、且つ結束用紐状物３０間においては光ファイバーケーブル２０、２１、２２はテンションメンバー２５、２６、２７より僅かに長さが長く、全体としてその両者は互いに長さ方向にスライド可能となっている。
【００２９】
また図１１においては、分岐管４５内に挿入される分岐テンションメンバー２７を、本管１内の分岐管口７に相当する部分で本管１内の幹テンションメンバー２５と、結束用紐状物３１によって結束している。
【００３０】
このようにしておくことで、光ファイバーケーブルを下水道管路内に敷設した後に、分岐管桝９からテンションメンバー２７に張力を加えると、テンションメンバー２５を分岐管口７の部分で分岐管５の方向に手繰り寄せることができ、光ファイバーケーブル２０を本管１の中間地点で本管１内の上部側に引っ張ることが可能となり、光ファイバーケーブル２０をさらに弛むことなく本管１内に敷設することができる。
【００３１】
図１２（ａ）は、光ファイバーケーブル２０、２１、２２に対して、テンションメンバー２５、２６、２７をスライド可能に一体化した構造の、他の形態を示すものであって、テンションメンバー２５、２６、２７はパイプ状であり、そのテンションメンバー２５、２６、２７の内部に光ファイバーケーブル２０、２１、２２がスライド可能に挿通されている。
【００３２】
図１２（ｂ）は図１２（ａ）の拡大横断面図であって、テンションメンバー２５、２６、２７は、ステンレスなどの金属パイプ３５の内外面に防食用の樹脂被膜３６が被覆されている。金属パイプ３５の内部には、二本の光ファイバー２３の外面に防食用の樹脂被膜２４を被覆した二心型の光ファイバーケーブル２０、２１、２２が挿入されている。なお光ファイバーケーブルは二心型に限らず、四心型その他の形式のものも使用可能である。特に幹光ファイバーケーブル２０は、分岐の数により２００心以上のものも使用されている。
【００３３】
金属パイプ３５の内面被膜の内径を光フアイバーケーブル２０、２１、２２の外径より大きく構成することで、光ファイバーケーブル２０、２１、２２は金属パイプ３５内でスライド可能とすることができる。なお金属パイプ３５は柔軟であって屈曲し得るものであることが好ましい。また防食用被膜３６の厚みの内部には、光ファイバー２３と共に線状の高強度低伸度性繊維３７を埋め込んで、長さ方向に対して補強しておくことが好ましい。
【００３４】
次いで、分岐テンションメンバー２６、２７の幹テンションメンバー２５との分岐位置、即ち、保護管４５の開口部付近に、図３に示すような各誘導部材Ａを取り付けておく。誘導部材Ａは、分岐管４、５の内径に略相当する外径を有し、断面が半円以上の円柱挿入部３３と、この円柱挿入部３３から連続して下外方に突出している本管１内に敷設する部材をスライド可能に保持する幹スライド部３１と、該挿入部３３に設けた分岐管４、５内に敷設する部材をスライド可能に保持する分岐スライド部３２とで構成されている。この誘導部材Ａに設けた幹スライド部３１に保護管４５をスライド可能に通しておき、分岐テンションメンバー２６、２７および分岐光ファイバーケーブル２１、２２を分岐スライド部にスライド可能に通しておく。幹スライド部３１および分岐スライド部３２は穴によって形成していてもよいし、パイプ状（図１０参照）であってもよい。
【００３５】
また、誘導部材Ａの分岐スライド部３２より取り出した、分岐テンションメンバー２６、２７および分岐光ファイバーケーブル２１、２２は小さく丸めておき、作業中保護管４５に巻きつかないようにしておくことが好ましい。なお、保護管４５を使用しない場合には、幹テンションメンバー２５に誘導部材Ａを取り付けておく。
【００３６】
次に本管１内等に、光ファイバーケーブル２０、２１、２２を敷設する方法について説明する。
【００３７】
予め、マンホール２、３間に通しておいた牽引策の一端に保護管（テンションメンバー２５）４５を接続し、牽引策の他端を引き取って、保護管４５をマンホール２からマンホール３まで入線する。また分岐桝８、９よりＴＶカメラを挿入して、誘導部材Ａが分岐管口６、７付近に位置しているか確認する。
【００３８】
なお、各誘導部材Ａの本管１内の移動時に、誘導部材Ａが管内壁との摩擦で傷つくことや、管路の段差などに引っ掛かる恐れがあるときには、本管１内を移動可能な台車や簡易船の上に載せて、牽引策と同時に引き込むことが好ましい。
【００３９】
次いで、分岐桝８から図７に示すような鉤状の冶具３８をロッドの先端に装備した作業棒を挿入し、ＴＶカメラで確認しながらテンションメンバー２６を冶具３８に引っ掛けて、テンションメンバー２６および分岐光ファイバーケーブル２１を分岐桝８から取り出す。このとき、本管１内の保護管４５（テンションメンバー２５）を動かして、テンションメンバー２６を作業棒に引っ掛けやすい位置に微調整する。また、幹テンションメンバー２５に仮のテンションを加えておくことも好ましく、適宜現場状況に合わせて採用する。
【００４０】
次に分岐桝８でテンションメンバー２６を引き取り、誘導部材Ａの先端部を分岐管口６に挿入する。テンションメンバー２６を引き取っても誘導部材Ａの先端の向きが変わらない場合は、図８に示すようなエアーパッカー３９を収縮した状態で分岐桝８から分岐管口６に挿入し、誘導部材Ａの内面に挿入して膨張させ、エアー注入部を引き取って誘導部材Ａの先端の向きを分岐管４の方向に変更することが好ましい。誘導部材Ａの分岐管口６の固定方法としては、誘導部材Ａの円柱状挿入部３３外面に接着剤や粘着剤、を予め塗布しておき、分岐管４内面との接触により固定してもよいし、円柱状挿入部３３外面にゴム、スポンジなどの弾性体を付与するか、先細りのテーパー面を形成しておき摩擦による圧着で固定してもよい。
【００４１】
また、誘導部材Ａとして、図１０に示すような形状のものを使用することもできる。このような誘導部材Ａを使用する場合は、円柱状固定部４１を細線などで縮径しておき分岐管４内に挿入後に細線を切断し縮径を開放して円柱状固定部４１を拡径し、分岐管４内に円柱状固定部４１を固定する。また、この場合、前述の図３に示す形状の誘導部材Ａと同様に、円柱状固定部４１外面に接着剤や粘着剤、を予め塗布しておき、分岐管４内面との接触により固定してもよいし、円柱状固定部４１外面にゴム、スポンジなどの弾性体を付与するか、先細りのテーパー面４２を形成しておき摩擦による圧着で固定してもよい。
【００４２】
他の分岐管５においても、同様な作業を順次実施し、分岐桝９から分岐光ファイバーケーブル２２および分岐テンションメンバー２７を取り出し、誘導部材Ａを分岐管口７に挿入、固定しておく。
【００４３】
次に、マンホール２および３に取り付けた、例えばドラム型巻き取り式の手動ウィンチとフックが対になったテンション機構３４を用いてテンションメンバー２５を片側はフックに固定し、他方はウィンチで張力を加え、保護管４５およびそれぞれの光ファイバーケーブルおよびテンションメンバーを本管１内の上部側に敷設する。
【００４４】
ここで図９に示すような分岐管４が直管の場合には、このまま分岐管桝８、９に取り付けたテンション機構３４で分岐テンションメンバー２６、２７に張力を加えることで、分岐管４、５内の上部に分岐光ファイバーケーブル２１、２２を敷設することができる。
【００４５】
ところが、例えば、分岐管４、５が図１に示すような曲管の場合、単に分岐管桝８、９に取り付けたテンション機構３４で分岐テンションメンバー２６、２７に張力を加えるだけでは、分岐管４、５の曲管の谷部１１の内面上部に沿って、光ファイバーケーブル２１、２２を敷設することができない。したがって、この場合は、分岐管４、５の曲管の谷部１１に、例えば、図５に示すような固定部材Ｂを谷部１１の内面上部に沿って配置する。
【００４６】
配置方法は、分岐桝８に到達しているテンションメンバー２６および光ファイバーケーブル２１を固定部材Ｂのスライド部４２の中に通しながら、円柱状固定部４３を縮径して曲管部付近に移動させる。移動手段としては、前述したエアパッカーの外部に取り付ける方法や専用の装置を用いてもよい。スライド部４２を曲管の谷部１１の内面上部に配置したならば、誘導部材Ａのときと同様に円柱状固定部４３を分岐管４、５内に固定する。
【００４７】
本管１内に保護管４５や幹テンションメンバー２５にたるみが生じた場合には、本管１内に図４に示すたるみ防止材５０を図１のように配置する。たるみ防止材５０の移動方法や固定方法は、固定部材Ｂや誘導部材Ａの場合と同様に円柱状固定部５１によって固定する。
【００４８】
次に、本発明の第２の実施形態例として、分岐管の数が少ない場合についての、本管および分岐管内に通線を行う方法について説明する。
【００４９】
まず、前述の実施形態例と同様に、光ファイバーケーブルを敷設する本管１および分岐管４、５内をＴＶカメラで調査し、マンホール２からマンホール３までの長さ（この間に別のマンホールが介在していてもよい）、マンホール２から分岐管口６、７までの長さ、分岐管４、５の長さ、およびそれぞれの口径などの数値データーを測定する。また、管路内に障害物（モルタルの塊、分岐管の本管内への飛び出し）などがあれば、該障害物を障害物除去専用機（図示せず、例えば、実開平４−３２８０８号に記載されている）により撤去し、光ファイバーケーブルの敷設に支障をきたすことのないようにしておく。次いで、本管１、分岐管４、５のそれぞれに牽引策を通線する。
【００５０】
次に、各牽引策の一端に保護管４５またはテンションメンバー２５、テンションメンバー２６、テンションメンバー２７をそれぞれ接続し、各牽引策の他端をほぼ同時に引き取って、光ファイバーケーブル２０、２１、２２およびテンションメンバー２５、２６、２７をマンホール２からマンホール３および分岐桝８、９まで入線すると共に、ＴＶカメラで確認して誘導部材Ａを本管１内の分岐管口６、７付近に位置させる。
【００５１】
次いで、本管１内のテンションメンバー２５を動かして、誘導部材Ａを分岐管口６の真下に配置する。分岐桝８でテンションメンバー２６を引き取り、誘導部材Ａの先端部を分岐管口６に挿入する。テンションメンバー２６を引き取っても誘導部材Ａの先端の向きが変わらない場合は、エアーパッカーを収縮した状態で分岐桝８から挿入し、誘導部材Ａの内面に挿入して膨張させ、誘導部材Ａの先端の向きを分岐管４の方向に変更することが好ましい。
【００５２】
また他の分岐管５においても、同様な作業を実施し、分岐桝９から分岐光ファイバーケーブル２２を取り出しておく。なお、ＴＶカメラは本管１内または分岐管４内のどちらに配置しても良い。
【００５３】
分岐管口６、７に誘導部材Ａを取り付けたならば、マンホール２、３に取り付けたテンション機構３４を用いて本管１内のテンションメンバー２５に張力を加え、本管１内上部にそれぞれの部材を位置させる。
【００５４】
最後に分岐管４、５が、図１に示すような曲管の場合は、前述同様に谷部１１に固定部材Ｂを配置する。なお、固定部材Ｂの配置は、準備作業時に予め行っても良い。この場合はスライド部に牽引策１１、１２を通線しておくこととなる。
【００５５】
なお、誘導部材Ａ、固定部材Ｂ、たるみ防止材５０の材質については、管と同質の樹脂製、例えば、硬質塩化ビニルや高密度ポリエチレンなど、または金属を採用することができる。特にこれらの部材の円柱部を縮径しておいて、拡径して管内壁に圧着させるタイプの材質には、該円柱部に反撥性を付与するため、少なくとも該円柱内部に軟質塩化ビニルや中密度以下のポリエチレン、またはバネ鋼材を単独または組み合わせて使用することが好ましい。
【００５６】
さらに、各部材の円柱部の端部において、外面に向かって先細りのテーパー面を形成することにより、流下物の引っ掛かりや、管路診断時の高圧洗浄による移動も防ぐことができる。
【００５７】
【発明の効果】
本発明は以上のように構成されており、下水管等の地中管内の内面の上部側に確実に光ファイバーケーブルを敷設することが可能となり、下水管等の地中管内の流下物の障害となることがない。また、光ファイバーケーブルを敷設する際に、特殊な器具等を特に使用する必要もなく、容易に且つ確実に光ファイバーケーブルを下水管等の地中管内の内面の上部側に敷設することが可能となる。このため、施工費用も大幅に低減することができる。
【図面の簡単な説明】
【図１】本発明に係る光ファイバーケーブルの敷設構造を示す全体概略図である。
【図２】保護管および保護管内に嵌挿されている光ファイバーケーブルの一例を示す図である。
【図３】分岐管内の上部側に光ファイバーケーブルを敷設できるように、光ファイバーケーブルを誘導する誘導部材の斜視図である。
【図４】たるみ防止材の一例を示す図である。
【図５】曲管の谷部の内面上部に光ファイバーケーブルを敷設できるように、光ファイバーケーブルを固定する固定部材を示す図である。
【図６】保護管の形態の一例を示す断面図である。
【図７】テンションメンバーを引っ張る治具の一例を示す図である。
【図８】誘導部材の位置決めをするために用いられる治具の一例を示す図である。
【図９】本発明に係る光ファイバーケーブルの敷設構造の他の形態例を示す全体概略図である。
【図１０】分岐管内の上部側に光ファイバーケーブルを敷設できるように、光ファイバーケーブルを誘導する誘導部材の他の例を示す斜視図である。
【図１１】光ファイバーケーブルにテンションメンバーを部分的に係止した状態を示す図である。
【図１２】パイプ状のテンションメンバーに光ファイバーケーブルを挿通した状態を示すものであって、（ａ）は斜視図であり、（ｂ）はその拡大横断面図である。
【符号の説明】
１  本管
２，３  マンホール
４，５  分岐管
６，７  分岐管口
８，９  分岐管桝
１１  谷部
２０，２１，２２  光ファイバーケーブル
２５，２６，２７  テンションメンバー
【図１】
0004474042.tif 000002
【図２】
0004474042.tif 000003
【図３】
0004474042.tif 000004
【図４】
0004474042.tif 000005
【図５】
0004474042.tif 000006
【図６】
0004474042.tif 000007
【図７】
0004474042.tif 000008
【図８】
0004474042.tif 000009
【図９】
0004474042.tif 000010
【図１０】
0004474042.tif 000011
【図１１】
0004474042.tif 000012
【図１２】
0004474042.tif 000013